(57)【特許請求の範囲】
【請求項１】
少なくとも一つの室内機と、
２本のラインを介して前記少なくとも一つの室内機と連結されて、前記少なくとも一つの室内機から電力を受信し、少なくとも一つの室内機とデータ通信を行う有線調整器と、
を含み、
前記少なくとも一つの室内機のそれぞれと前記有線調整器は通信部を備えて、第１周波数の通信信号を直流信号と第２周波数の通信信号とからなる通信信号に変調し、データ通信時に前記２本のラインのそれぞれに位相差を有する信号として前記変調された通信信号を重畳させて伝送し、受信した前記変調された通信信号を、前記２本のラインを介して受信された通信信号同士間の電圧差に基づいて、前記第１周波数の通信信号に復調し、
前記第２周波数の通信信号の第２周波数は、前記第１周波数の通信信号の第１周波数より高いことを特徴とする、空気調和機。
【請求項２】
前記少なくとも一つの室内機は、
電力を前記２本のラインに出力して、前記電力を前記有線調整器に供給する電力送出部と、
前記第２周波数の通信信号を、電力の流れる前記２本のラインにリンクさせ、前記リンクされた第２周波数の通信信号を前記有線調整器に伝送し、受信した信号を第２周波数の通信信号及び電力信号に分離し、前記分離された第２周波数の通信信号のみを通過させる信号リンク部と、
をさらに含む、請求項１に記載の空気調和機。
【請求項３】
前記少なくとも一つの室内機の信号リンク部はキャパシタからなり、電力送出部はインダクタからなることを特徴とする、請求項２に記載の空気調和機。
【請求項４】
前記有線調整器は、
受信した信号において電力信号のみを通過させる電力分離部と、
前記第２周波数の通信信号を、電力の流れる前記２本のラインにリンクさせ、前記リンクされた第２周波数の通信信号を前記少なくとも一つの室内機に伝送し、受信した信号を第２周波数の通信信号及び電力信号に分離し、前記分離された第２周波数の通信信号のみを通過させる信号リンク部と、
をさらに含む、請求項１に記載の空気調和機。
【請求項５】
前記有線調整器の信号リンク部はキャパシタからなり、電力分離部はインダクタからなることを特徴とする、請求項４に記載の空気調和機。
【請求項６】
前記第２周波数の通信信号は、正弦波、鋸波または三角波のいずれか一つを有する、請求項１に記載の空気調和機。
【請求項７】
前記少なくとも一つの室内機の各通信部及び前記有線調整器の通信部は、該当のデータが０の値を有する場合、受信した第２周波数の通信信号を第２周波数の通信信号に復調する、請求項１に記載の空気調和機。
【請求項８】
前記少なくとも一つの室内機は、
前記２本のラインを介して提供される電力を検出する電力検出部と、
他の室内機との短絡が発生したか否かによって前記電力を検出した時に駆動されるスイッチと、
ＤＣ電力を前記２本のラインに供給する電力供給部と、
前記電力検出部を介して電力が検出されない時、前記電力供給部を制御して前記有線調整器に電力を供給する制御部と、
を含む、請求項１に記載の空気調和機。
【請求項９】
２本のラインを介して連結される少なくとも一つの室内機及び有線調整器を含む空気調和機の通信方法であって、
前記２本のラインを介して前記少なくとも一つの室内機から前記有線調整器に電力を供給し、
第１周波数の通信信号を直流信号と第２周波数の通信信号とからなる通信信号に変調し、前記２本のラインのそれぞれに位相差を有する信号として前記変調された通信信号を重畳させて伝送し、
前記変調された通信信号が前記２本のラインを介して受信された時、この受信された前記変調された通信信号を、前記２本のラインを介して受信された通信信号同士間の電圧差に基づいて、前記第１周波数の通信信号に復調し、前記復調された通信信号に基づいて駆動制御を行うこと、
を含み、
前記第２周波数の通信信号の第２周波数は、前記第１周波数の通信信号の第１周波数より高い空気調和機の通信方法。
【請求項１０】
前記有線調整器により前記第２周波数の通信信号を前記第１周波数の通信信号に復調することは、
前記２本のラインにリンクされた受信された通信信号を第２周波数の通信信号及び電力に分離し、
前記分離された電力を駆動電力として供給し、
前記分離された第２周波数の通信信号を前記第１周波数の通信信号に復調すること、
を含む、請求項９に記載の空気調和機の通信方法。
【請求項１１】
前記室内機により前記第２周波数の通信信号を前記第１周波数の通信信号に復調することは、
前記２本のラインにリンクされた受信された通信信号を高周波の通信信号及び電力に分離し、
前記分離された第２周波数の通信信号を前記第１周波数の通信信号に復調すること
を含む、請求項９に記載の空気調和機の通信方法。
【請求項１２】
前記２本のラインにリンクされた第２周波数の通信信号を伝送することは、
前記２本のラインのうちのいずれか一方に伝送される前記第２周波数の通信信号の位相を遅延させながら、前記２本のラインを介して前記第２周波数の通信信号を伝送することを含む、請求項９に記載の空気調和機の通信方法。
【請求項１３】
前記少なくとも一つの室内機と前記有線調整器とのデータ通信の間において、前記少なくとも一つの室内機と前記有線調整器との間の電力を検出し、
前記電力が検出されないと、前記少なくとも一つの室内機を制御して前記有線調整器に電力を供給し、前記電力が検出されると、前記少なくとも一つの室内機を制御して前記有線調整器への電力の供給を継続し、
前記電力の検出時に、基準レベル以上の電流が前記室内機に印加されるか否かを判別し、
前記基準レベル以上の電流が印加される室内機からの電力供給を遮断し、
前記基準レベル未満の電流が印加される室内機を介して前記有線調整器への電力供給を継続すること、
をさらに含む、請求項９に記載の空気調和機の通信方法。
【請求項１４】
前記電力が検出されない場合、前記少なくとも一つの室内機を制御して前記有線調整器に電力を供給することは、
前記電力が検出されない場合、前記少なくとも一つの室内機の電力供給部の動作を制御し、
最初に前記有線調整器に電力を供給する室内機を識別し、
前記識別された室内機から前記有線調整器に電力を供給し、他の室内機から前記有線調整器への電力供給を遮断すること、
を含む、請求項１３に記載の空気調和機の通信方法。
【発明の詳細な説明】
【技術分野】
【０００１】
本発明は、２本のラインを用いて電力を供給し、通信を行う空気調和機及びその通信方法に関するものである。
【背景技術】
【０００２】
空気調和機とは、冷媒の蒸発、凝縮過程で生じる熱の移動を用いて空気を冷却、加熱または浄化して吐き出すことで、特定の室内空間における空気を調和する機器のことをいう。
【０００３】
かかる空気調和機は、室内空間に設置された室内機と、外部に設置され、室内機に連結された室外機と、室内機と電気的に連結されて室内機の運転を制御する調整器とを有する。また、空気調和機は、室外機と室内機との間に設置され、冷媒サイクルに従って冷媒が循環する冷媒管をさらに有する。
【０００４】
ここで、調整器は、室内機に有／無線で連結されて室内機の運転を制御する。特に、複数の室内空間の空気をそれぞれ調和するマルチ型空気調和機では、無線調整器を紛失しやすく、有線調整器を使って室内機の運転を制御する。
【０００５】
このように有線調整器を使用する場合、室内機と室外機、室内機と調整器はそれぞれ、２本の電源線及び２本の通信線を介して連結することができる。
【０００６】
すなわち、室内機と室外機、室内機と調整器はそれぞれ、４本のラインを介して連結されており、これらは、２本の電源線を介して電力を供給し、２個の通信線を介して互いに通信を行う。
【０００７】
このような有線調整器を使用する空気調和機を設置する際、設置者が、室外機と室内機に設けられた２個の電源線と２個の通信線をそれぞれ連結し、室外機と室内機との間に冷媒管を連結し、また、室内機と調整器に設けられた２個の電源線と２個の通信線をそれぞれ連結する。
【０００８】
ここで、設置者は、室内機と室外機との間、及び室内機と有線調整器との間にそれぞれ４本のラインをそれぞれ連結しなければならず、よって、空気調和機の設置に多いライン使用量が要求され、ラインの購買費用が増加する他、電源線と通信線間の誤結線が生じる可能性が高いため、その分、通信回路の故障発生の可能性が高く、通信回路の故障時に修理コストが発生するという不具合がある。
【０００９】
特に、マルチ型空気調和機が設置される場合には、ライン使用量がより増加するため、ライン間におけるノイズ影響も大きくなり、通信が不安定になるという問題がある。またマルチ型空気調和機において室外機及び室内機の数が増加するほど通信線及び電源線の数も共に増加するため、設置及び管理上の困難も増加する。
【発明の概要】
【発明が解決しようとする課題】
【００１０】
本発明の一側面は、１つまたは複数の室内機と有線調整器との通信時に、通信信号を高周波の通信信号に変調して伝送する空気調和機及びその通信方法を提供することである。
【００１１】
本発明の他の側面は、１つまたは複数の室内機と有線調整器との通信時に、通信信号を正弦波、鋸波または三角波のいずれか一波形として伝送する空気調和機及びその通信方法を提供することである。
【００１２】
また、本発明の他の側面は、複数の室内機と有線調整器を２本のラインを介して連結する時、複数の室内機と有線調整器との断線を検知する空気調和機及びその通信方法を提供することである。
【００１３】
本発明の他の側面は、１つまたは複数の室内機と遠隔有線調整器とを２本のラインを介して連結して、室内機と周辺機器との間の通信を行い、室内機と有線調整器との間における電力を移動させる空気調和機及びその通信方法を提供することである。
【００１４】
本発明の他の側面は、室内機と有線調整器との間における２本のラインが誤った極性で連結された場合にも、電力供給及び通信を行うことができる空気調和機及びその通信方法を提供することである。
【００１５】
本発明のさらなる側面は、下記に部分的に説明され、部分的には、下記から明らかになり、また下記の実施から学ぶことができるであろう。
【課題を解決するための手段】
【００１６】
本発明の一側面によれば、少なくとも一つの室内機と、２本のラインを介して前記少なくとも一つの室内機と連結され、前記少なくとも一つの室内機から電力を受信して少なくとも一つの室内機とデータ通信を行う有線調整器と、を含み、前記少なくとも一つの室内機のそれぞれと前記有線調整器は通信部を備えて、低周波の通信信号を高周波の通信信号に変調し、データ通信時に前記高周波の通信信号を伝送し、受信された高周波の通信信号を低周波の通信信号に復調する空気調和機が提供される。
【００１７】
前記少なくとも一つの室内機は、電力を前記２本のラインに出力して、前記電力を前記有線調整器に供給する電力送出部と、前記高周波の通信信号を、電力の流れる前記２ラインとリンクさせ、前記リンクされた高周波の通信信号を前記有線調整器に伝送し、受信された信号を高周波の通信信号及び電力信号に分離し、前記分離された高周波の通信信号のみを通過させる信号リンク部と、をさらに含むことができる。
【００１８】
前記少なくとも一つの室内機の信号リンク部はキャパシタを含み、電力送出部はインダクタを含むことができる。
【００１９】
前記有線調整器は、受信された信号において電力信号のみを通過させる電力分離部と、前記高周波の通信信号を、電力の流れる前記２本のラインとリンクさせ、前記リンクされた高周波の通信信号を前記少なくとも一つの室内機に伝送し、受信された信号を高周波の通信信号及び電力信号に分離し、前記分離された高周波の通信信号のみを通過させる信号リンク部と、をさらに含むことができる。
【００２０】
前記有線調整器の信号リンク部はキャパシタを含み、電力分離部はインダクタを含むことができる。
【００２１】
前記有線調整器は、前記少なくとも一つの室内機から入力される電力を整流する整流部をさらに含むことができる。
【００２２】
前記高周波の通信信号は、正弦波、鋸波または三角波のいずれか一つを有することができる。
【００２３】
前記２本のラインのいずれか一方を介して伝送される高周波の通信信号は、いずれか他方のラインを介して伝送される高周波の通信信号に対して位相遅延されてよい。
【００２４】
前記少なくとも一つの室内機の各通信部及び前記有線調整器の通信部は、受信された高周波の通信信号を、前記２本のラインを介して受信される高周波の通信信号同士間の電圧差を用いて低周波の通信信号に復調することができる。
【００２５】
前記少なくとも一つの室内機の各通信部及び前記有線調整器の通信部は、該当のデータが０の値を有する場合、受信された高周波の通信信号を高周波の通信信号に復調することができる。
【００２６】
前記電力は、ＤＣ電力でよい。
【００２７】
前記少なくとも一つの室内機は、前記２本のラインを介して提供される電力を検出する電力検出部と、他の室内機との短絡が発生したか否かによって前記電力を検出した時に駆動されるスイッチ部と、を含むことができる。
【００２８】
前記少なくとも一つの室内機は、ＤＣ電力を前記２本のラインに供給する電力供給部と、前記電力検出部を介して電力が検出されない時、前記電力供給部を制御して有線調整器に電力を供給する制御部と、をさらに含むことができる。
【００２９】
前記スイッチ部は、基準電流レベル未満を有する電流が印加された時にターンオンされ、基準電流レベル以上を有する電流が印加された時にターンオフされてよい。
【００３０】
本発明の他の側面によれば、２本のラインを介して連結される少なくとも一つの室内機及び有線調整器を含む空気調和機の通信方法において、前記２本のラインを介して前記少なくとも一つの室内機から前記有線調整器に電力を供給し、低周波の通信信号を高周波の通信信号に変調し、前記高周波の通信信号を前記２本のラインにリンクすることで前記高周波の通信信号を伝送し、高周波の通信信号が前記２本のラインを介して受信された時、この受信された高周波の通信信号を低周波の通信信号に復調し、該復調された通信信号に基づいて駆動制御を行うことを含む。
【００３１】
前記有線調整器により前記高周波の通信信号を前記低周波の通信信号に復調することは、前記２本のラインにリンクされた受信された通信信号を高周波の通信信号及び電力に分離し、前記分離された電力を駆動電力として供給し、前記分離された高周波の通信信号を低周波の通信信号に復調することを含むことができる。
【００３２】
前記室内機により前記高周波の通信信号を前記低周波の通信信号に復調することは、前記２本のラインとリンクされた受信された通信信号を高周波の通信信号及び電力に分離し、前記分離された高周波の通信信号を低周波の通信信号に復調することを含むことができる。
【００３３】
前記２本のラインにリンクされた高周波の通信信号を伝送することは、前記２本のラインのいずれか一方に伝送される前記高周波の通信信号の位相を遅延させながら、前記２本のラインを介して前記高周波の通信信号を伝送することを含むことができる。
【００３４】
前記受信された高周波の通信信号を低周波の通信信号に復調することは、受信された高周波の通信信号を、前記２本のラインを介して受信された高周波の通信信号同士間の電圧差を用いて低周波の通信信号に復調することを含むことができる。
【００３５】
低周波の通信信号を高周波の通信信号に変調することは、該当するデータが０の値を有する時、低周波の通信信号を高周波の通信信号に変調することを含むことができる。
【００３６】
前記高周波の通信信号は、正弦波、鋸波または三角波のいずれか一つを有することができる。
【００３７】
上記方法は、前記少なくとも一つの室内機と前記有線調整器とのデータ通信の間において、前記少なくとも一つの室内機と前記有線調整器との間の電力を検出し、前記電力が検出されないと、前記少なくとも一つの室内機を制御して前記有線調整器に電力を供給し、前記電力が検出されると、前記少なくとも一つの室内機を制御して前記有線調整器への電力の供給を継続することをさらに含むことができる。
【００３８】
前記電力が検出された場合、前記有線調整器への電力供給を継続することは、前記電力の検出時に、基準レベル以上の電流が前記室内機に印加されるか否かを判別し、前記基準レベル以上の電流が印加される室内機からの電力供給を遮断し、前記基準レベル未満の電流が印加される室内機を介して前記有線調整器への電力供給を継続することを含むことができる。
【００３９】
前記電力が検出されない場合、前記少なくとも一つの室内機を制御して前記有線調整器に電力を供給することは、前記電力が検出されない場合、前記少なくとも一つの室内機の電力供給部の動作を制御し、最初に前記有線調整器に電力を供給する室内機を識別し、前記識別された室内機から前記有線調整器に電力を供給し、他の室内機から前記有線調整器への電力供給を遮断することを含むことができる。
【発明の効果】
【００４０】
以上の説明から明らかなように、以上の実施例に係る空気調和機及びその通信方法は、様々な利点を有する。例えば、本発明の一側面によれば、複数の室内機と有線調整器とが互いに通信する時、通信信号を高周波の通信信号に変換した後、高周波の通信信号をＤＣ電力にリンクさせて送受信することによって、リンクされた高周波の通信信号をＤＣ電力と通信信号とに分離するのに用いるインダクタの容量を低減することができ、インダクタの容量の低減によって回路ボード（ＰＣＢ）の大きさを縮減し、インダクタの単価も下げることができる。
【００４１】
また、通信信号を高周波の通信信号に変換した後、高周波の通信信号をＤＣ電力にリンクさせて送受信することによって、ＤＣ電力と通信信号とをリンクさせるのに用いるキャパシタの容量を低減することができ、キャパシタの容量の低減によって、回路ボード（ＰＣＢ）の大きさを縮減し、キャパシタの単価も下げることができる。
【００４２】
また、低周波の通信信号を高周波の通信信号に変換する回路が、低周波の通信信号をＡＭＩ（Ａｌｔｅｒｎａｔｅ  Ｍａｒｋ  Ｉｎｖｅｒｓｉｏｎ）信号に変換する回路よりも単純であるから、回路具現が容易であり、回路コストを下げることができる。
【００４３】
また、高周波の通信信号を、矩形波ではなく正弦波、鋸波または三角波とすることによって、ＥＭＩノイズのような電磁気的なノイズを低減することができる。
【００４４】
本発明の他の側面によれば、１つまたは複数の室内機と有線調整器とを２本のラインを介して連結するので、ライン（またはケーブル）の数を減らし、ライン間のノイズを減少させることができる。
【００４５】
複数の室内機にそれぞれスイッチ部を備えているため、他の室内機と短絡した誤連結された室内機の該当のスイッチ部をターンオフすることによって、当該室内機が有線調整器に電力を供給することを遮断することができる。
【００４６】
また、複数の室内機にそれぞれ電力検出部を備え、それらの電力検出部を順次に駆動させることで、有線調整器に電力を供給する室内機を判別し、複数の室内機が判別された場合、少なくとも一つの室内機を選択して有線調整器に電力を供給することができる。
【００４７】
また、室内機と有線調整器との間に連結された２本のラインは、互いに反対方向に流れる（すなわち、互いにそれぞれに対して１８０°の位相遅延を有する）差動信号（ｄｉｆｆｅｒｅｎｔｉａｌ  ｓｉｇｎａｌ）を伝送するから、２本のライン間におけるノイズが打ち消され、２ラインから放出される電磁波を約０に低減させ、ノイズを大幅に減少させることができる。
【００４８】
本発明の上記の及び／または他の側面は、添付の図面を参照して、実施例についての下記の説明からより自明になり、容易に理解できるであろう。
【図面の簡単な説明】
【００４９】
【図１Ａ】本発明の一実施例に係る空気調和機の構成図である。
【図１Ｂ】本発明の一実施例に係る空気調和機の構成図である。
【図２】本発明の一実施例に係る空気調和機に設けられた室内機と有線調整器の詳細構成図である。
【図３】（ａ）〜（ｄ）は、本発明の一実施例に係る空気調和機に用いられる通信信号波形の例示図である。
【図４】（ａ）〜（ｃ）は、本発明の一実施例に係る空気調和機に用いられる変復調信号波形の例示図である。
【図５】本発明の一実施例に係る空気調和機の通信方法を示すフローチャートである。
【図６】本発明の他の実施例に係るマルチ型空気調和機の構成図である。
【図７】本発明の他の実施例に係るマルチ型空気調和機の詳細構成図である。
【図８】（ａ）及び（ｂ）は、本発明の他の実施例に係るマルチ型空気調和機に設けられた複数の室内機の連結状態を示す図である。
【図９】本発明の他の実施例に係るマルチ型空気調和機の電力供給方法を示すフローチャートである。
【発明を実施するための形態】
【００５０】
以下、添付の図面を参照しつつ、本発明について詳細に説明する。図面中、同一の構成要素には同一の参照番号を付する。
【００５１】
図１Ａは、本発明の一実施例に係る空気調和機の構成図である。図１Ａを参照すると、空気調和機は、室内機１００、有線調整器２００及び室外機３００を含む。
【００５２】
空気調和機の室内機１００は、空気を快適な状態に維持するための室内空間に設置され、有線調整器２００と２本のラインＬ１，Ｌ２を介して連結され、室外機３００と冷媒管（図示せず）及び２本のラインＷ１，Ｗ２を介して連結される。
【００５３】
このような室内機１００は、室外機３００の膨脹手段で膨脹されたのち冷媒管を通って搬送された液体状態の冷媒を蒸発させながら外部の熱を吸収する室内熱交換器と、室内空気を室内熱交換器に送り込む室内ファンとを有する。
【００５４】
有線調整器２００は、室内機１００の運転を制御するためのもので、室内機１００から遠隔に設置される。また、有線調整器２００は、２本のラインＬ１，Ｌ２を介して室内機１００に連結され、２本のラインＬ１，Ｌ２を介して室内機１００から駆動電力を受け、室内機１００とのデータ通信を行う。
【００５５】
有線調整器２００は、室内機１００の運転モード情報、目標温度情報などを操作するための操作部（図示せず）と、室内機１００の運転状態情報、室内温度情報、室内湿度情報などを表示する表示部（図示せず）と、を有する。
【００５６】
特に、有線調整器２００は、室内機１００の運転モード、目標温度などに関連する操作部の操作または運転のうちの少なくとも１つに対応する通信信号を、室内機１００に伝送し、室内機１００から伝送された通信信号に対応する室内機１００の運転状態情報などを表示部上に表示する。
【００５７】
なお、有線調整器２００は、各種センサー（図示せず）から伝送された室内の温度及び湿度のような情報を表示部上に表示する。
【００５８】
室外機３００は、室内機１００と冷媒管（図示せず）及び２本のラインＷ１，Ｗ２を介して連結され、室内機１００を循環する冷媒の流れを分配及び制御する。
【００５９】
さらにいうと、室外機３００は、冷媒を圧縮して高温、高圧状態に変換する圧縮器と、圧縮器で圧縮された高温、高圧状態の冷媒を液相に変換しながら内部潜熱を外部に放出する室外熱交換器と、室外熱交換器で液相に変換された冷媒の流量調節により圧力を低下させる、毛細管のような膨脹手段と、室外熱交換器に空気を送り込む室外ファンと、を有する。
【００６０】
このような室外機３００は、室内機１００に電力を供給し、室内機１００の制御信号に対応して室外ファン及び圧縮器を選択的に駆動させることで、室内機１００を循環する冷媒の流れを分配及び制御する。
【００６１】
ここで、室外機３００における圧縮器、室外熱交換器、膨脹手段は互いに冷媒管を介して連結され、室外機３００の膨脹手段に連結された冷媒管は、外部冷媒管（図示せず）を介して室内機１００の室内熱交換器に連結される。そして、室外機３００の通信部（図示せず）などは、２本のラインＷ１，Ｗ２を介して室内機１００の通信部に連結されてデータ通信信号を送受信する。
【００６２】
図１Ｂは、図１Ａに示す空気調和機と構成要素間の連結状態が異なる空気調和機を示す図である。
【００６３】
特に、図１Ｂに示す空気調和機において、有線調整器２００は、室内機１００と室外機３００との間に提供される。
【００６４】
空気調和機における室内機１００は、冷媒管（図示せず）と２本のラインＷ１，Ｗ２を介して室外機３００に連結される。
【００６５】
室内機１００は、外部商用電源に連結され、２本のラインＷ１’，Ｗ２’を介して有線調整器２００に連結される。室内機１００は、外部商用電力を整流し、整流された電力を有線調整器２００に提供し、有線調整器２００に／から通信信号を送／受信する。
【００６６】
有線調整器２００は、室内機１００から遠隔に設置され、室内機１００の運転を制御する。
【００６７】
有線調整器２００は、２本のラインＷ１’，Ｗ２’を介して室内機１００または室外機３００に連結され、２本のラインＷ１’，Ｗ２’を介して室内機１００または室外機３００から電力を受ける。ここで、有線調整器２００は、自身に電力を供給する室内機１００または室外機３００を選択することもできる。
【００６８】
また、有線調整器２００の２本のラインＷ１’，Ｗ２’は、室内機１００と室外機３００との間における２本のラインＷ１，Ｗ２に連結することができる。
【００６９】
有線調整器２００は、２本のラインＷ１’，Ｗ２’を介して室内機１００とデータ通信を行う。
【００７０】
ここで、有線調整器２００が室内機１００または室外機３００から電力を受け、室内機１００とデータ通信を行う方法は、上記の実施例で説明した方法の通りである。
【００７１】
有線調整器２００は、室内機１００の運転モード情報、目標温度情報などを操作するための操作部（図示せず）と、室内機１００の運転状態情報、室内温度情報、室内湿度情報などを表示する表示部（図示せず）と、を有する。
【００７２】
特に、有線調整器２００は、操作部を介して操作された室内機１００の運転モード、目標温度などのうち少なくとも一つの操作または運転に対応する通信信号を、室内機１００に伝送し、室内機１００から伝送された通信信号に対応する室内機１００の運転状態情報などを表示部上に表示する。
【００７３】
なお、有線調整器２００は、各種センサー（図示せず）から伝送された室内の温度及び湿度のような情報を表示部上に表示する。
【００７４】
室外機３００は、外部商用電源に連結され、２本のラインＷ１’，Ｗ２’を介して有線調整器２００に連結される。室外機３００は外部商用電力を整流し、整流された電力を有線調整器２００に提供する。
【００７５】
電力が室外機３００から有線調整器２００に供給される構成は、電力が室内機１００から有線調整器２００に供給される、上記実施例で説明した構成と同様である。
【００７６】
室外機３００は室内機１００と冷媒管（図示せず）及び２本のラインＷ１，Ｗ２を介して連結され、室内機１００を循環する冷媒の流れを分配及び制御する。
【００７７】
さらにいうと、室外機３００は２本のラインＷ１，Ｗ２を介して室内機１００と連結されてデータ通信信号を送信及び受信し、室内機１００からの制御信号に応じて室外ファン及び圧縮器を駆動させ、また、室内機１００を循環する冷媒の流れを分配及び制御する。
【００７８】
図２は、本発明の一実施例に係る空気調和機の室内機１００と、この室内機１００から電力を受けて室内機１００と通信を行う有線調整器２００を示す詳細構成図であり、ここでは有線調整器２００を取り上げて説明する。これを、図３の（ａ）〜（ｄ）及び図４の（ａ）〜（ｃ）を参照して説明する。
【００７９】
ここで、図３の（ａ）〜（ｄ）は、本発明の一実施例に係る空気調和機における室内機１００または有線調整器２００で変復調される通信信号波形の例示図であり、図４の（ａ）〜（ｃ）は、本発明の一実施例に係る空気調和機における室内機１００または有線調整器２００で復調される通信信号波形の例示図である。
【００８０】
図２に示すように、室内機１００は、第１制御部１１０、第１通信部１２０、第１信号リンク部１３０、第１電力送出部１４０を含む。
【００８１】
室内機１００の第１制御部１１０は、有線調整器２００から伝送された通信信号に対応して室内機１００の全般的な駆動を制御する。
【００８２】
特に、室内機１００は、有線調整器２００から伝送された通信信号を分析し、分析結果によって室内機１００の運転を制御する。ここで、室内機１００は、使用者により設定された目標温度に室内空間の温度が維持されるように、室内ファン（図示せず）、ブレード（図示せず）などの駆動を制御する。
【００８３】
第１制御部１１０は、運転状態情報に対応する通信信号（例えば、UART（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）信号）を第１通信部１２０に伝送する。
【００８４】
ここで、第１制御部１１０から第１通信部１２０に伝送されるＵＡＲＴ信号は、図３の（ａ）に示すように、矩形波の波形を持つ低周波の通信信号である。
【００８５】
なお、第１制御部１１０は、室内機１００の周辺に温度センサー及び湿度センサーが設けられた場合、室内機１００の周辺の温度及び湿度情報を受信し、それに対応する通信信号を第１通信部１２０に伝送することができる。
【００８６】
室内機１００の第１通信部１２０は、第１制御部１１０から伝送された通信信号を変調し、第１信号リンク部１３０を介して有線調整器２００に送信する。
【００８７】
また、第１通信部１２０は、ラインＬ２を介して伝送される高周波の通信信号を位相遅延させる。
【００８８】
なお、室内機１００に位相遅延部（図示せず）を備えて、ラインＬ２を介して伝送される高周波の通信信号の位相を遅延させてもよい。
【００８９】
また、第１通信部１２０は、有線調整器２００から室内機１００の運転制御命令に対応する通信信号が受信すると、この通信信号を復調し、復調された通信信号を第１制御部１１０に伝送する。
【００９０】
このような第１通信部１２０は、第１変調部１２１と第１復調部１２２とからなる。
【００９１】
より具体的に説明すると、第１変調部１２１は、第１制御部１１０から受信した低周波の通信信号を高周波の通信信号に変調して第１信号リンク部１３０に伝送する。
【００９２】
図３の（ｂ）に示すように、第１変調部１２１は、第１制御部１１０から受信した通信信号のデータ１（すなわち、データ値が１）に該当する各区間は０の信号に変換し、第１制御部１１０から受信した通信信号のデータ０（すなわち、データ値が０）に該当する各区間は高周波信号に変換することによって、第１制御部１１０から伝送された低周波の通信信号を高周波信号に変調する。
【００９３】
図３の（ｃ）は、図３の（ｂ）で変調された高周波の通信信号を拡大したもので、拡大された高周波の通信信号区間が、０のレベル（すなわち、データ０）を持つデータに対応するということが、図３の（ａ）の波形からわかる。
【００９４】
図３の（ｃ）に示すように、高周波の通信信号は、矩形波以外の、正弦波、三角波または鋸波のいずれかの波形からなる。
【００９５】
なお、高周波の通信信号は、正弦波、三角波または鋸波のいずれかに類似する波形からなってもよい。
【００９６】
第１復調部１２２は、第１信号リンク部１３０を介して有線調整器２００から受信した高周波の通信信号を、低周波の通信信号に復調して第１制御部１１０に伝送する。
【００９７】
図３の（ｄ）に示すように、第１復調部１２２は、各高周波の通信信号区間はデータ０に変換し、約１２ＶのＤＣ直流電力レベルを持つ区間はデータ１に変換することによって、第１信号リンク部１３０を介して受信した高周波の通信信号を低周波の通信信号に復調する。
【００９８】
高周波の通信信号区間がデータ０に復調される方法を図４の（ａ）〜（ｃ）を参照して説明すると、次の通りである。図４の（ａ）に示すように、同一の電圧を有し、反対方向に流れる電流を有し、かつ、所定の値（約１８０°）の位相差を有する高周波の通信信号が、２本のライン（Ｌ１：＋端、Ｌ２：−端）を介して第１信号リンク部１３０にそれぞれ伝送される。すなわち、１８０°の位相差をもってラインＬ１を介して流れる高周波の通信信号は、ラインＬ２を介して流れる高周波の通信信号の逆相バージョンである。
【００９９】
図４の（ｂ）に示すように、第１信号リンク部１３０を通過した各高周波の通信信号は、ＤＣ電力が第１信号リンク部１３０のフィルタリングによって電圧の減少した状態で第１復調部１２２に入力され、第１復調部１２２は、各ラインを介して入力された高周波の通信信号の電圧差を演算する。この第１復調部１２２は、高周波の通信信号区間を、上記位相差の演算によって２倍に増幅する。通信信号区間が２倍に増幅されると、これは高周波の通信信号区間と認識され、よって、図４の（ｃ）に示すように、データ０に変調される。
【０１００】
すなわち、各ラインを介して受信した高周波の通信信号同士の差を演算し、高周波の通信信号の電圧レベルを２倍に増幅することによって、信号レベル０の信号と高周波の通信信号とを区別付けるためである。
【０１０１】
なお、各ラインを介して受信したＤＣ電力信号同士の電圧差が０であるから、ＤＣ電力のみを有する区間は、電圧差が０である通信信号区間がデータ１に変換されることによって、データ１に変調される。
【０１０２】
第１信号リンク部１３０は、第１通信部１２０及び第１電力送出部１４０と連結され、また、２本のラインＬ１，Ｌ２と連結される。
【０１０３】
第１信号リンク部１３０は、キャパシタを含み、電力送出部１４０から供給されたＤＣ電力に、第１通信部１２０の第１変調部１２１を介して受信した高周波の通信信号をリンクした後、その結果信号を２本のラインＬ１，Ｌ２を介して有線調整器２００に伝送する。
【０１０４】
この時、２本のラインＬ１，Ｌ２を介して伝送される高周波の通信信号は、同一の電圧を有し、反対方向に流れる電流を有し、かつ、所定値（例えば、約１８０°）の位相差を有する。
【０１０５】
そして、第１信号リンク部１３０は、有線調整器２００から低周波の通信信号を２本のラインＬ１，Ｌ２を介して受信すると、受信した低周波の通信信号のみを、第１通信部１２０の第１復調部１２２に伝送する。
【０１０６】
電力送出部１４０は、電源部（１２Ｖ、０Ｖ）と２本のラインを介して連結され、いずれか一方のラインを介して約１２Ｖの電源部から約１２ＶのＤＣ電力が供給され、他方のラインを介して約０Ｖの電源部から０ＶのＤＣ電力が供給される。
【０１０７】
このような電力送出部１４０はインダクタを含む。したがって、電力送出部１４０の直流電力信号はインダクタを介してそのまま２本のラインに出力される。これにより、電力送出部１４０は２本のラインＬ１，Ｌ２を介して有線調整器２００に電力を供給する。
【０１０８】
この時、電力送出部１４０は、第１信号リンク部１３０に連結された２本のラインＬ１，Ｌ２と連結されており、電力送出部１４０から伝送されたＤＣ電力は、第１信号リンク部１３０に伝送された高周波の通信信号とリンクされ、これにより得られた通信信号は有線調整器２００に伝送される。
【０１０９】
電力送出部１４０は、有線調整器２００から信号を受信すると、受信した信号を分離してＤＣ電力信号と通信信号とにし、このうち、ＤＣ電力信号のみを通過させる。
【０１１０】
すなわち、電力送出部１４０はインダクタを含むため、このインダクタを介して高周波の通信信号を減衰させ、ＤＣ電力信号のみを通過させることが可能である。この時、ＤＣ電力信号は他の構成部の駆動電力として供給することが可能である。
【０１１１】
図２に示すように、有線調整器２００は、第２信号リンク部２１０、第２通信部２２０、第２制御部２３０、電力分離部２４０、電力調整部２５０を含む。
【０１１２】
有線調整器２００は整流部２６０をさらに含む。
【０１１３】
整流部２６０は、室内機１００から伝送されたＤＣ電力及び高周波の通信信号を第２信号リンク部２１０に伝送し、第２制御部２３０から受信した通信信号を室内機１００に伝送する。
【０１１４】
このような整流部２６０は、室内機１００と有線調整器２００とを連結する２本のラインＬ１，Ｌ２の誤連結により、これら２本のラインにおける＋端と−端とが換わって室内機１００と有線調整器２００とが連結されても、室内機１００と有線調整器２００との間においてＤＣ電力及び通信信号が正常に送信及び受信されるようにする。
【０１１５】
すなわち、室内機１００と有線調整器２００との間において通信信号は整流部２６０を介して送受信されるため、室内機１００と有線調整器２００とを連結する２ラインの極性が換わっても室内機１００と有線調整器２００との間において高周波の通信信号を正確に送受信することができる。
【０１１６】
ここで、整流部２６０は、全波整流回路（Ｆｕｌｌ  ｗａｖｅ  ｒｅｃｔｉｆｉｃａｔｉｏｎ  ｃｉｒｃｕｉｔ）であるブリッジダイオード（Ｂｒｉｄｇｅ  Ｄｉｏｄｅ）を含む。ブリッジダイオードは、正の半周期と負の半周期にそれぞれ交互に動作して全波整流波形を得るダイオードを含む。
【０１１７】
有線調整器２００における第２信号リンク部２１０は、第２通信部２２０及び電力分離部２４０と連結され、また、２本のラインＬ１，Ｌ２を介して室内機１００と連結される。
【０１１８】
第２信号リンク部２１０はキャパシタを含み、室内機１００から、ＤＣ電力とリンクされた高周波の通信信号を２本のラインＬ１，Ｌ２を介してそれぞれ受信すると、高周波の通信信号のみを第２通信部２２０の第２復調部２２２に伝送する。この高周波の通信信号は、キャパシタにより電圧が減少した後、第２復調部２２２に送信される。
【０１１９】
そして、第２信号リンク部２１０は、第２通信部２２０から変調された高周波の通信信号を受信すると、この変調された高周波の通信信号を、室内機１００から供給されるＤＣ電力にリンクした後、このリンクされた高周波の通信信号を２本のラインＬ１，Ｌ２を介して室内機１００に伝送する。この時、２本のラインＬ１，Ｌ２を介して伝送される高周波の通信信号は同一の電圧を有し、反対方向の電流を有し、所定値（例えば、約１８０°）の位相差を有する。
【０１２０】
有線調整器の第２通信部２２０は、第２制御部２３０の指示に対応する高周波の通信信号を生成し、この通信信号を室内機１００に伝送する。
【０１２１】
ここで、第２通信部２２０は、ラインＬ２を介して伝送される高周波の通信信号の位相を遅延させる。すなわち、ラインＬ２を介して伝送される高周波の通信信号の位相は、ラインＬ１を介して伝送される高周波の通信信号に対して約１８０°だけ遅延される。
【０１２２】
また、第２通信部２２０は、室内機１００から、室内機１００の運転状態に対応する通信信号を受信する。この時、第２通信部２２０は、室内機１００から受信した通信信号を復調し、復調された通信信号を第２制御部２３０に伝送する。
【０１２３】
このような有線調整器２００の第２通信部２２０による通信信号変復調方法は、図３の（ａ）〜（ｄ）及び図４の（ａ）〜（ｃ）に示す室内機１００の第１通信部１２０による通信信号変復調方法と同一である。これについて説明すると、下記の通りである。
【０１２４】
第２通信部２２０は、第２変調部２２１と第２復調部２２２とからなる。
【０１２５】
第２変調部２２１は、第２制御部２３０から受信した低周波の通信信号を高周波の通信信号に変調して第２信号リンク部２１０に伝送する。
【０１２６】
第２変調部２２１は、第２制御部２３０から受信した通信信号のデータが１である各区間は０の信号に変換し、第２制御部２３０から受信した通信信号のデータが０である区間は高周波信号に変換することによって、第２制御部２３０から受信した低周波の通信信号を高周波の通信信号に変調する。ここで、高周波の通信信号は、矩形波以外の、正弦波、三角波または鋸波のうちのいずれか一波形からなる。
【０１２７】
また、高周波の通信信号は、正弦波、三角波または鋸波のうちのいずれか一波形に類似する波形からなってもよい。
【０１２８】
第２復調部２２２は、第２信号リンク部２１０から受信した高周波の通信信号を低周波の通信信号に復調して第２制御部２３０に伝送する。
【０１２９】
この時、第２復調部２２２は、高周波の通信信号区間のそれぞれはデータ０に変換し、所定の周波数とＤＣ電力を持つ区間はデータ１に変換することによって、第２信号リンク部２１０を介して受信した高周波の通信信号を低周波の通信信号に復調する。
【０１３０】
ここで、高周波の通信信号区間をデータ０に復調することは、一定の位相差（例えば、約１８０°）を持つ２本のライン（Ｌ１：＋端、Ｌ２：−端）の高周波の通信信号同士の電圧差を演算し、この電圧差の演算によりレベルが２倍に増幅された高周波の通信信号区間をデータ０に変換することによってなる。
【０１３１】
有線調整器２００の第２制御部２３０は、室内機１００から伝送された通信信号を分析し、分析結果に対応して室内機１００の全般的な運転及び運転状態表示を制御し、目標温度設定、風向き設定、運転モード設定などに関連した操作部（図示せず）の操作に対応する通信信号の出力を制御する。
【０１３２】
ここで、操作部の操作に対応する通信信号は、矩形波の波形を持つ低周波の通信信号であるＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）信号である。
【０１３３】
有線調整器２００の電力分離部２４０は、２本のラインＬ１，Ｌ２を介して室内機１００と連結され、２本のラインＬ１，Ｌ２からＤＣ電力とリンクされた高周波の通信信号が受信すると、この受信した通信信号をＤＣ電力信号と通信信号とに分離し、そのうち、ＤＣ電力信号のみを通過させる。
【０１３４】
すなわち、電力分離部２４０はインダクタを含むから、この電力分離部２４０はインダクタを用いて高周波の通信信号を減衰させ、ＤＣ電力信号のみを通過させる。この時、ＤＣ電力信号は電力調整部２５０に印加する。
【０１３５】
有線調整器２００の電力調整部２５０は、定電圧レギュレータを含み、この定電圧レギュレータを用いて、室内機１００から供給された略１２Ｖの直流（ＤＣ）電力を調整して、有線調整器２００の駆動に必要な略５Ｖの直流（ＤＣ）電力に調整し、調整された電力を有線調整器２００に設けられた各構成部の駆動電力として供給する。
【０１３６】
上記のように、ＤＣ電力にリンクされる通信信号として高い周波数を有する通信信号を用いると、電力送出部及び電力分離部のインダクタの容量を減らすことができる。これにより、回路ボード（ＰＣＢ）の大きさを減らすことができ、インダクタの単価を下げ、回路コストを低減することができる。
【０１３７】
また、高周波の通信信号を、矩形波を持つ通信信号とする場合、矩形波エッジ（Ｅｄｇｅ）にライジングタイム（Ｒｉｓｉｎｇ  Ｔｉｍｅ）ノイズが発生するが、高周波の通信信号を、矩形波ではなく正弦波、鋸波または三角波などにすることによって、ライジングタイムノイズを減らすことができる。
【０１３８】
図５は、本発明の一実施例に係る空気調和機の通信方法を示すフローチャートであり、室内機１００から有線調整器２００に通信信号が伝送される場合を示している。
【０１３９】
室内機１００の電力送出部１４０は、電源部（１２Ｖ、０Ｖ）から約１２ＶのＤＣ電力を受け、このＤＣ電力を２本のラインＬ１，Ｌ２を介して有線調整器２００に伝送する。
【０１４０】
このように室内機１００から有線調整器２００に電力が供給されている状態で、室内機１００の第１制御部１１０は低周波の通信信号を第１通信部１２０の第１変調部２１２に出力（４０１）する。
【０１４１】
次に、室内機１００の第１変調部１２１は、低周波の通信信号を高周波の通信信号に変調（４０２）し、第１信号リンク部１３０に出力する。
【０１４２】
この時、第１変調部１２１は、第１制御部１１０に伝送されたデータが１である場合、前記低周波の通信信号を特定周波数で維持し、第１制御部１１０に伝送されたデータが０である場合、低周波の通信信号を高周波の通信信号に変調する。
【０１４３】
次に、室内機１００の第１信号リンク部１３０を通過した高周波の通信信号を、電力送出部１４０から出力されたＤＣ電力にリンク（４０３）する。この時、通信信号の電圧レベルは、約１２ＶのＤＣ電力にリンクされた通信信号に変更される。すなわち、約１２ＶのＤＣ電力にリンクされた、データ０を表す高周波の通信信号は、約１４．５Ｖのピーク電圧を有し、約１２ＶのＤＣ電力にリンクされた、データ１を表す特定周波数を有する通信信号は、約１２Ｖのピーク電圧を有する。
【０１４４】
その後、該リンクされた高周波の通信信号は、２本のラインＬ１，Ｌ２を介して有線調整器２００に送信される。
【０１４５】
この時、リンクされた高周波の通信信号は、２本のラインＬ１，Ｌ２のうち、第１ラインＬ１を介して遅延なく送信され、所定値だけ位相遅延された後に第２ラインＬ２を介して送信（４０４）される。
【０１４６】
次に、有線調整器２００は、２本のラインＬ１，Ｌ２を介して、リンクされた高周波の通信信号を受信（４０５）すると、リンクされた高周波の通信信号を、電力分離部２４０と第２信号リンク部２１０を用いてＤＣ電力と高周波の通信信号とに分離（４０６）する。
【０１４７】
特に、リンクされた高周波の通信信号が有線調整器２００に伝送されると、このリンクされた高周波の通信信号に含まれるＤＣ電力のみが、インダクタを含む電力分離部２４０を介して通過され、このＤＣ電力は電力調整部２５０へと出力される。
【０１４８】
電力調整部２５０は、室内機１００から供給された約１２ＶのＤＣ電力を、有線調整器２００の駆動に必要な約５Ｖの定電圧を持つＤＣ電力に調整（４０７）し、調整された約５ＶのＤＣ電力を有線調整器２００の各構成部に供給する。
【０１４９】
そして、リンクされた高周波の通信信号が有線調整器２００に伝送されると、リンクされた高周波の通信信号に含まれる高周波の通信信号のみが、キャパシタを含む第２信号リンク部２１０を介して通過され、この高周波の通信信号は第２通信部２２０の第２復調部２２２へと伝送される。
【０１５０】
第２通信部２２０の第２復調部２２２は、高周波の通信信号を低周波の通信信号に復調（４０８）し、この低周波の通信信号を第２制御部２３０に伝送する。
【０１５１】
この時、第２復調部２２２は、高周波の各通信信号区間はデータ０に変換し、所定の周波数またはＤＣ電力を持つ各区間はデータ１に変換することによって、第２信号リンク部２１０を介して伝送された高周波の通信信号を低周波の通信信号に復調する。
【０１５２】
ここで、高周波の通信信号区間がデータ０に復調されることは、一定の位相差（約１８０°）を持つ第１ライン（Ｌ１：＋端）と第２ライン（Ｌ２：−端）を介して受信される高周波の通信信号同士の電圧差を演算し、この電圧差の演算によりレベルが２倍に増幅される高周波の通信信号区間をデータ０に変換することによってなる。この時、２本のラインを介して流れる通信信号同士間の電圧差を演算することでレベルが２倍に増幅される高周波の通信信号は復調手順において生成され、この復調された高周波の通信信号はノイズ信号と明確に区別される。
【０１５３】
有線調整器２００の第２制御部２３０に低周波の通信信号が入力（４０９）されると、この第２制御部２３０は、入力された低周波の通信信号を分析し、分析結果に対応して室内機１００の運転状態を表示する等、有線調整器２００の各構成部の駆動を制御する（４１０）。
【０１５４】
有線調整器２００から室内機１００に通信信号が伝送される時にも、図５におけると同様の通信方法が適用される。
【０１５５】
また、室外機３００と室内機１００との通信にも、図５におけると同様の通信方法が適用される。
【０１５６】
図６は、本発明の他の実施例に係るマルチ型空気調和機の構成図であり、同図の空気調和機は、複数の室内機１００−１，１００−２，…，１００−ｎ、有線調整器２００及び室外機３００を含む。
【０１５７】
空気調和機の複数の室内機１００−１，１００−２，…，１００−ｎは、空気を快適な状態に維持させるための複数の室内空間にそれぞれ設置される。
【０１５８】
複数の室内機１００−１，１００−２，…，１００−ｎのそれぞれは、有線調整器２００と２本のラインＬ１，Ｌ２を介して連結され、また、室外機３００と冷媒管（図示せず）及び２本のラインＷ１，Ｗ２を介して連結される。
【０１５９】
複数の室内機１００−１，１００−２，…，１００−ｎのそれぞれは、室外機３００の膨脹手段で膨脹された後に冷媒管を通って搬送された液体状態の冷媒を蒸発させながら外部の熱を吸収する室内熱交換器と、室内空気を室内熱交換器に送り込む室内ファンと、を含む。
【０１６０】
有線調整器２００は、複数の室内機１００−１，１００−２，…，１００−ｎから遠隔に設置されて、複数の室内機１００−１，１００−２，…，１００−ｎの運転を制御し、２本のラインＬ１，Ｌ２を介して複数の室内機１００−１，１００−２，…，１００−ｎに連結される。この有線調整器２００は、２本のラインＬ１，Ｌ２を介して複数の室内機１００−１，１００−２，…，１００−ｎのうちの少なくとも一つの室内機から駆動電力を受け、複数の室内機１００−１，１００−２，…，１００−ｎとの通信を行う。
【０１６１】
有線調整器２００は、複数の室内機１００−１，１００−２，…，１００−ｎの運転モード情報、目標温度情報などを設定するように操作する操作部（図示せず）と、複数の室内機１００−１，１００−２，…，１００−ｎの運転状態情報、室内温度及び室内湿度情報などを表示する表示部（図示せず）と、を含む。
【０１６２】
特に、有線調整器２００は、複数の室内機１００−１，１００−２，…，１００−ｎの運転モード、目標温度などに関連する操作部の操作または運転のうちの少なくとも１つに対応する通信信号を、複数の室内機１００−１，１００−２，…，１００−ｎに伝送し、複数の室内機１００−１，１００−２，…，１００−ｎから伝送された通信信号に対応する複数の室内機１００−１，１００−２，…，１００−ｎの運転状態情報などを表示部上に表示する。
【０１６３】
なお、有線調整器２００は、各種センサー（図示せず）から伝送された室内の温度及び湿度情報などを表示部上に表示する。
【０１６４】
室外機３００は、複数の室内機１００−１，１００−２，…，１００−ｎと冷媒管（図示せず）及び２本のラインＷ１，Ｗ２を介してそれぞれ連結され、複数の室内機１００−１，１００−２，…，１００−ｎのそれぞれでに電力を供給し、複数の室内機１００−１，１００−２，…，１００−ｎを循環する冷媒の流れを分配及び制御する。
【０１６５】
ここで、室外機３００は、図１における室外機と同一の構成を有するから、その具体的な説明は省略する。
【０１６６】
なお、マルチ型空気調和機の複数の室内機１００−１，１００−２，…，１００−ｎはそれぞれ、有線調整器２００に自身の識別子（ＩＤ）情報も伝送する。ここで、複数の室内機１００−１，１００−２，…，１００−ｎのそれぞれの識別子（ＩＤ）情報は、室内機が有線調整器２００と通信する際に、自身の設置されている空間を知らせるために室内機に設定される。
【０１６７】
図７は、本発明の他の実施例に係るマルチ型空気調和機の詳細構成図である。本実施例に係るマルチ型空気調和機を、本実施例に係るマルチ型空気調和機に設けられる複数の室内機の連結状態を示す図８に結びつけ、図７を参照して詳細に説明する。
【０１６８】
図７に示すように、マルチ型空気調和機の複数の室内機１００−１，１００−２，…は、第１制御部１１０−１，１１０−２，…、第１通信部１２０−１，１２０−２，…、第１信号リンク部１３０−１，１３０−２，…、電力送出部１４０−１，１４０−２，…、電力検出部１５０−１，１５０−２，…、及びスイッチ部１６０−１，１６０−２，…をそれぞれ含む。
【０１６９】
ここで、マルチ型空気調和機の各室内機における第１制御部１１０−１，１１０−２，…、第１通信部１２０−１，１２０−２，…、第１信号リンク部１３０−１，１３０−２，…、電力送出部１４０−１，１４０−２，…は、図２の実施例における空気調和機の室内機の第１制御部１１０、第１通信部１２０、第１信号リンク部１３０、電力送出部１４０に類似するから、それについての説明は省略する。
【０１７０】
電力検出部１５０−１，１５０−２，…は、フォトカプラーを含み、線路の電力を検出し、複数の室内機１００−１，１００−２，…，１００−ｎのうちの少なくとも一つの室内機から有線調整器２００へ電力供給がされるか否かを検出する。
【０１７１】
すなわち、複数の室内機１００−１，１００−２，…，１００−ｎのうちの少なくとも一つの室内機から有線調整器２００に電力が供給されると、電力検出部１５０−１，１５０−２，…の各フォトカプラーが駆動し、複数の室内機１００−１，１００−２，…，１００−ｎから有線調整器２００に電力が供給されないと、電力検出部１５０−１，１５０−２，…の各フォトカプラーは駆動しない。
【０１７２】
なお、複数の室内機１００−１，１００−２，…，１００−ｎの各制御部１１０−１，１１０−２，…１００−ｎは、各電力検出部１５０−１，１５０−２，…から伝送される電力検出信号に対応して、複数の室内機１００−１，１００−２，…，１００−ｎのうちの少なくとも一つの室内機から有線調整器２００に電力が供給されるか判断し、この時、複数の室内機１００−１，１００−２，…，１００−ｎから有線調整器２００に電力が供給されないと判断されると、それぞれの電源供給部Ｐ１，Ｐ２，…を制御して有線調整器２００に電力を供給する。
【０１７３】
ここで、複数の室内機１００−１，１００−２，…，１００−ｎのいずれも有線調整器２００に電力を供給しない状態で、複数の室内機１００−１，１００−２，…，１００−ｎのうちの少なくとも一つの室内機が初めて線路に電源を印加すると仮定する。この時、有線調整器２００に逆極で連結された室内機が同時に線路に電力を供給すると、短絡が発生し、室内機を通って流れる電流が基準電流レベル以上と上昇する。この場合、電力を供給する室内機は、このような状態を検知し、該当するスイッチ部の駆動を制御する。
【０１７４】
これにより、２ラインの電流を基準電流未満と制御し、各機器を保護することができる。
【０１７５】
スイッチ部１６０−１，１６０−２，…は、リレーまたはトランジスタを含む。
【０１７６】
このようなスイッチ部１６０−１，１６０−２，…のうち、該当する一つのスイッチは、図８の（ａ）に示すように、複数の室内機１００−１，１００−２，…，１００−ｎのうち少なくとも一つの室内機１００−１から有線調整器２００に電力が供給されると駆動され、複数の室内機１００−１，１００−２，…，１００−ｎのうち少なくとも一つの室内機１００−２または１００−３から有線調整器２００に電力が供給されないと駆動されない。
【０１７７】
スイッチ部１６０−１，１６０−２，…のそれぞれは、複数の室内機から有線調整器２００に電力を供給する状態で、該当の室内機にあらかじめ設定された基準電流以上の電流（過電流）が流れるとターンオフされる。
【０１７８】
すなわち、図８の（ｂ）に示すように、第１室内機１００−１が第２、３室内機１００−２，１００−３と異なる極性で有線調整器２００に誤連結された状態で、第１、３室内機１００−１，１００−３から有線調整器２００に電力を供給すると、第１室内機１００−１の２本のラインに、あらかじめ設定された基準電流以上の電流（過電流）が流れるようになり、これによってスイッチ部１６０−１はターンオフされる。
【０１７９】
複数の室内機が誤連結されたとき、上記の方法でスイッチ部を駆動させることによって複数の室内機間の短絡を防止することができ、さらに回路ボード（ＰＣＢ）の故障を防止することができる。
【０１８０】
ここで、スイッチ部１６０−１，１６０−２，…のターンオンまたはターンオフは、制御部１１０−１，１１０−２，…のうち、該当する制御部の指示によってなされることも可能である。
【０１８１】
なお、スイッチ部１６０−１，１６０−２，…のそれぞれは、該当の室内機が誤連結された状態で有線調整器２００との通信を行う際、他の室内機１００−２，１００−３から有線調整器２００に電力が供給されないと、第１制御部１１０−１，１１０−２，…のうち、該当の制御部の指示に対応してターンオンされる。これにより、該当の室内機が有線調整器２００に電力を供給しながら通信を行うことが可能になる。
【０１８２】
特に、有線調整器２００に整流部（図２の２６０）が設けられているため、複数の室内機のうちの少なくとも一つの室内機と有線調整器２００とが、それらを連結する２本のラインＬ１，Ｌ２の＋端と−端とが換わって誤連結されている場合にも、少なくとも一つの室内機と有線調整器２００との間において直流（ＤＣ）電力及び通信データ信号を正常に送受信することができる。
【０１８３】
図７に示すように、マルチ型空気調和機の有線調整器２００は、第２信号リンク部２１０、第２通信部２２０、第２制御部２３０、電力分離部２４０、及び電力調整部２５０を含む。
【０１８４】
有線調整器２００は、整流部（図２の２６０）をさらに含む。
【０１８５】
ここで、第２信号リンク部２１０、第２通信部２２０、第２制御部２３０、電力分離部２４０、及び電力調整部２５０は、図２の実施例に係る空気調和機の有線調整器２００と同一であり、その詳細な説明は省略し、第２制御部２３０の付加的な特徴のみを説明する。
【０１８６】
第２制御部２３０は、複数の室内機のいずれか一つの室内機を選択し、選択された室内機に室外機に電力供給をするように指示し、余り室内機には電力供給を遮断するように指示することによって、当該室外機が、選択された室内機のみから電力を受けるようにすることが可能である。
【０１８７】
このようなマルチ型空気調和機において各室内機と有線調整器との通信方法は、図２の実施例に係る空気調和機における室内機と有線調整器との通信方法と同一である。
【０１８８】
図９は、本発明の他の実施例に係るマルチ型空気調和機の電力供給方法を示すフローチャートである。
【０１８９】
まず、複数の室内機１００−１，１００−２，…，１００−ｎのうちの少なくとも一つの室内機と有線調整器２００との通信時に、複数の室内機１００−１，１００−２，…，１００−ｎは、各電力検出部１５０−１，１５０−２，…を用いて、複数の室内機１００−１，１００−２，…，１００−ｎから有線調整器２００に供給される電力を検出（５０１）する。
【０１９０】
この時、複数の室内機１００−１，１００−２，…，１００−ｎは、電力検出に基づき、複数の室内機１００−１，１００−２，…，１００−ｎのうちの少なくとも一つの室内機から有線調整器２００に電力が供給されるか判断（５０２）する。
【０１９１】
すなわち、電力検出部１５０−１，１５０−２，…を介して電力が検出されると、複数の室内機１００−１，１００−２，…，１００−ｎのうちの少なくとも一つの室内機から有線調整器２００に電力が供給されると判断し、電力検出部１５０−１，１５０−２，…を介して電力が検出されないと、複数の室内機１００−１，１００−２，…，１００−ｎのうちの少なくとも一つの室内機から有線調整器２００に電力が供給されないと判断する。
【０１９２】
ここで、少なくとも一つの室内機１００−１，１００−２，…，１００−ｎから有線調整器２００に電力が供給される場合、この電力により電力検出部１５０−１，１５０−２，…がターンオンされることから、有線調整器２００に供給される電力が検出され、室内機１００−１，１００−２，…，１００−ｎから有線調整器２００に電力が供給されない場合、電力検出部１５０−１，１５０−２，…がターンオフされることから、有線調整器２００に供給される電力が検出されない。
【０１９３】
複数の室内機１００−１，１００−２，…，１００−ｎのうち少なくとも一つの室内機から有線調整器２００に電力が供給されないことを検出する場合、複数の室内機１００−１，１００−２，…，１００−ｎの電源部Ｐ１，Ｐ２，…を、一定時間の間隔であらかじめ定められた順番で駆動させて有線調整器２００に電力を供給し、この時、有線調整器２００に供給される電力を、電力検出部１５０−１，１５０−２，…を介して検出する。
【０１９４】
そして、電力検出部１５０−１，１５０−２，…を介して、有線調整器２００に供給される電力が最初に検出されると、有線調整器２００に電力を供給する電源部Ｐ１、Ｐ２，…を持つ室内機を判断し、この室内機から有線調整器２００への電力供給５０３を維持する。この時、残りの室内機から有線調整器２００への電力供給は遮断される。
【０１９５】
なお、いずれか一つの室内機が、有線調整器２００との通信を行うために、他の室内機が有線調整器２００に電力を供給するか否かを判断する場合、有線調整器２００に電力を供給する他の室内機がないと判断されると、該室内機は、複数の室内機の順次制御を行うことなく自身の電源部Ｐ１，Ｐ２，…を制御して有線調整器２００に電力を直接供給することも可能である。
【０１９６】
一方、複数の室内機１００−１，１００−２，…，１００−ｎのうち少なくとも一つの室内機から有線調整器２００に電力を供給する場合、各室内機は自身と連結された２本のラインに流れる電流を検出し、検出された電流があらかじめ設定された基準電流以上であるか否か判断（５０４）する。
【０１９７】
この時、あらかじめ設定された基準電流以上の電流が流れると、室内機は、該当のスイッチ部をターンオフ（５０５）させて、有線調整器２００に電力が供給されることを遮断し、あらかじめ設定された基準電流未満の電流が流れると、室内機は、該当のスイッチ部をターンオンさせて有線調整器２００への電力供給を維持（５０６）する。
【０１９８】
ここで、あらかじめ設定された基準電流以上の電流は、該当の室内機が、他の室内機と異なる極性で有線調整器２００に誤連結された場合に該当の室内機を流れることになる。したがって、あらかじめ設定された基準電流以上の電流が室内機を流れると、該室内機はスイッチ部をターンオフして他の室内機との短絡を防止する。
【０１９９】
なお、室内機１００と室外機３００との間における電力供給も、図９と同様の方法で行う。
【０２００】
図１乃至図９を参照して説明した以上の実施例における室内機と有線調整器との電力供給及び通信のための方法は、２本のラインを介して連結されて互いにＤＣ電力の供給及び通信を行ういかなるデバイスにも適用可能である。
【０２０１】
例えば、上記方法は、空気調和機の室内機と室外機間、マルチ型空気調和機の室内機、室外機及び有線調整器間、ボイラーの本体と有線調整器間、及び、マスター機器とスレーブ機器間にも適用可能である。
【０２０２】
以上、本発明の実施例が開示されてきたが、本発明の原理及び精神を逸脱しない範囲内で、以上の実施例から様々な変形実施が可能であるということは、本発明の属する技術の分野における通商の知識を有する者には自明である。
【符号の説明】
【０２０３】
１００  室内機
１１０  第１制御部
１２０  第１通信部
１２１  第１変調部
１２２  第１復調部
１３０  第１信号リンク部
１４０  第１電力送出部
１５０  電力検出部
２００  有線調整器
２１０  第２信号リンク部
２２０  第２通信部
２２２  第２復調部
２３０  第２制御部
２４０  電力分離部
２５０  電力調整部
２６０  整流部
３００  室外機
【図１Ａ】
0005843513.tif 000002
【図１Ｂ】
0005843513.tif 000003
【図２】
0005843513.tif 000004
【図４】
0005843513.tif 000005
【図５】
0005843513.tif 000006
【図６】
0005843513.tif 000007
【図７】
0005843513.tif 000008
【図８】
0005843513.tif 000009
【図９】
0005843513.tif 000010
【図３】
0005843513.tif 000011